(57)【要約】【課題】より音圧レベルの高い音を発生させることができる発音装置、及びそれを備えた感知器を提供する。【解決手段】発音装置１００は、板状の振動体１と、振動体１を保持する保持部２と、外部からの電気信号に応じて振動体１を厚さ方向に振動させる駆動部３と、を備える。保持部２は、保持体４と、フレーム５と、を有する。保持体４は、弾性材料からなり、振動体１の厚さ方向と直交する方向から振動体１の外周の全周に接触する。フレーム５は、保持体４を保持する。【選択図】図１
2019164173.tif 000002
【特許請求の範囲】
【請求項１】
板状の振動体と、
前記振動体を保持する保持部と、
外部からの電気信号に応じて前記振動体を厚さ方向に振動させる駆動部と、
を備え、
前記保持部は、
弾性材料からなり、前記振動体の厚さ方向と直交する方向から前記振動体の外周の全周に接触する保持体と、
前記保持体を保持するフレームと、
を有する
発音装置。
【請求項２】
前記保持体は、前記振動体と対向する内側面に、前記振動体の外周部が差し込まれる保持溝を有する
請求項１記載の発音装置。
【請求項３】
前記保持溝は、前記保持体の前記内側面における前記保持溝の第１幅よりも、前記保持溝の底部における第２幅の方が小さくなるように、前記保持体の前記内側面から前記底部へ向かって徐々に幅が狭くなるよう形成され、
前記振動体の前記外周部の厚さは、前記第１幅よりも小さく、前記第２幅よりも大きい
請求項２記載の発音装置。
【請求項４】
前記振動体は、金属板を有し、
前記駆動部は、前記金属板の厚さ方向の少なくとも一面に固定され、前記電気信号に応じて前記金属板の厚さ方向と直交する方向に伸縮する板状の圧電体を有する
請求項１〜３のいずれか一項記載の発音装置。
【請求項５】
前記振動体は、音響板をさらに備え、前記音響板は、前記金属板の厚さ方向の一面に固定されて、前記金属板の全周から前記金属板の厚さ方向と直交する方向に突出し、
前記保持体は、前記音響板の厚さ方向と直交する方向から前記音響板の外周の全周に接触する
請求項４記載の発音装置。
【請求項６】
前記振動体は、前記振動体の厚さ方向から見た形状が円形である
請求項１〜５のいずれか一項記載の発音装置。
【請求項７】
請求項１〜６のいずれか一項記載の発音装置と、
特定事象を検知する検知部と、
前記検知部で前記特定事象が検知された場合に、前記駆動部に前記電気信号を与えて前記振動体を振動させる制御部と、
前記発音装置、前記検知部、及び前記制御部が収納されるハウジングと、
を備え、
前記フレームは前記ハウジングの一部である
感知器。
【発明の詳細な説明】
【技術分野】
【０００１】
本発明は、一般に発音装置、及びそれを備えた感知器に関し、特に、振動により音を発生させる板状の振動体を備えた発音装置、及びそれを備えた感知器に関する。
【背景技術】
【０００２】
特許文献１は、従来の発音装置の一例である圧電スピーカを開示する。この圧電スピーカは、圧電振動子と、薄厚部材と、弾性体と、支持部材と、を備えている。
【０００３】
圧電振動子は、圧電素子よりなる圧電体と、圧電体の変形によって振動する振動板と、を備える。薄厚部材は、振動板と結合して圧電振動子の周囲に設けられている。薄厚部材は、圧電体の変形によって、振動板と一緒に振動する。支持部材は、第１の支持体と第２の支持体とを有し、第１の支持体と第２の支持体が嵌め合う部位で薄厚部材の外周部を狭持する。弾性体は、第１の支持体と薄厚部材との間に設けられている。弾性体と薄厚部材の外周部とが、第１の支持体と第２の支持体との間に狭持されている。
【０００４】
この圧電スピーカでは、圧電体に信号電圧が印可されることによって、振動板及び薄厚部材（振動体）が厚さ方向に振動し、この振動によって音が発生する。
【先行技術文献】
【特許文献】
【０００５】
【特許文献１】特開２０１１−２０５６１３号公報
【発明の概要】
【発明が解決しようとする課題】
【０００６】
特許文献１の圧電スピーカでは、振動体の外周部（薄厚部材の外周部）が、第１の支持体と第２の支持体とによって、振動体の厚さ方向で狭持されている。このため、振動体の外周部における振動体の厚さ方向の振動が、支持部材によって阻害されてしまい、得られる音の大きさ（音圧）が低下する可能性がある。
【０００７】
本発明の目的は、より音圧の大きな音を発生させることができる発音装置、及びそれを備えた感知器を提供することである。
【課題を解決するための手段】
【０００８】
本発明の一態様に係る発音装置は、板状の振動体と、前記振動体を保持する保持部と、外部からの電気信号に応じて前記振動体を厚さ方向に振動させる駆動部と、を備える。前記保持部は、保持体と、フレームと、を有する。前記保持体は、弾性材料からなり、前記振動体の厚さ方向と直交する方向から前記振動体の外周の全周に接触する。前記フレームは、前記保持体を保持する。
【０００９】
本発明の一態様に係る感知器は、前記発音装置と、検知部と、制御部と、ハウジングと、を備える。前記検知部は、特定事象を検知する。前記制御部は、前記検知部で前記特定事象が検知された場合に、前記駆動部に前記電気信号を与えて前記振動体を振動させる。前記ハウジングには、前記発音装置、前記検知部、及び前記制御部が収納される。前記フレームは前記ハウジングの一部である。
【発明の効果】
【００１０】
本発明は、より音圧の大きな音を発生させることができるという効果がある。
【図面の簡単な説明】
【００１１】
【図１】図１は、本発明の実施形態１に係る発音装置の断面図である。
【図２】図２は、同上の発音装置に用いられる振動体及び圧電体の側面図及び平面図である。
【図３】図３は、同上の発音装置の要部の断面図である。
【図４】図４は、本発明の実施形態２に係る感知器の分解斜視図である。
【図５】図５は、同上の感知器の断面図である。
【発明を実施するための形態】
【００１２】
（実施形態１）
実施形態１の発音装置１００について、図１〜図３を参照して説明する。
【００１３】
図１に示すように、本実施形態の発音装置１００は、板状の振動体１と、振動体１を保持する保持部２と、外部からの電気信号に応じて振動体１を厚さ方向（図１の上下方向）に振動させる駆動部３と、を備える。保持部２は、保持体４と、フレーム５と、を有する。保持体４は弾性材料からなる。保持体４は、振動体１の厚さ方向と直交する方向（図１の前後左右方向）から振動体１の外周の全周に接触する。フレーム５は、保持体４を保持する。
【００１４】
以下、本実施形態の発音装置１００について詳しく説明する。
【００１５】
本実施形態の発音装置１００は、いわゆる圧電ブザーである。本実施形態では、振動体１は、金属板１０と音響板１１とを含む。駆動部３は、圧電体３０を含む。
【００１６】
金属板１０は、例えば真鍮から形成される。図２に示すように、金属板１０は、金属板１０の厚さ方向（図２の紙面と垂直な方向）から見た形状が円形である。すなわち、金属板１０は、円板状である。
【００１７】
圧電体３０は、例えば、チタン酸ジルコン酸塩などの圧電セラミックスから形成される。圧電体３０は、板状である。図２に示すように、圧電体３０は、圧電体３０の厚さ方向（図２の紙面と垂直な方向）から見た形状が円形である。すなわち、圧電体３０は円板状である。図１に示すように、圧電体３０は、金属板１０の厚さ方向の一面（第１面１０１；図１の下面）に固定されている。圧電体３０は、金属板１０に同心状に固定されている。圧電体３０は、例えばエポキシ接着剤などで、金属板１０に固定される。
【００１８】
圧電体３０の一面（金属板１０に固定された面とは反対の面；図１の下面）には、例えば銀製の電極３１が形成されている。電極３１は、圧電体３０の一面のほぼ全体を覆うように形成されている。金属板１０には第１のリード線が接続され、電極３１には第２のリード線が接続されている。第１及び第２のリード線間に電気信号（電圧）が加えられることで、圧電体３０の厚さ方向（図１の上下方向）の両端間に電圧が印加される。
【００１９】
圧電体３０は、電気信号に応じて形状が変化する逆圧電効果を奏する。圧電体３０は、厚さ方向（図１の上下方向）に電圧が印加されたときに、厚さ方向と直交する方向（図１の前後左右方向；図２の紙面と平行な方向）に伸縮する。すなわち、圧電体３０は、電気信号に応じて金属板１０の厚さ方向と直交する方向に伸縮する。金属板１０の厚さ方向と直交する方向に圧電体３０が伸縮することで、金属板１０が厚さ方向に振動する。発音装置１００は、金属板１０が厚さ方向に振動することで、音を発生させる。
【００２０】
本実施形態の発音装置１００は、金属板１０の一面（第１面１０１）のみに圧電体３０が設けられた（金属板１０の他面（第２面１０２；図１の上面）には圧電体３０が設けられていない）ユニモルフ構造を有する。
【００２１】
音響板１１は、樹脂製であり、例えば熱可塑性樹脂製である。図２に示すように、音響板１１は、音響板１１の厚さ方向（図２の紙面と垂直な方向）から見た形状が円形である。音響板１１は、金属板１０の第２面１０２に固定されている。音響板１１は、金属板１０に同心状に固定されている。音響板１１は、金属板１０の全周から、金属板１０の厚さ方向と直交する方向（図２の紙面と平行な方向）に突出している。また図１に示すように、音響板１１は、径方向の中央部に、金属板１０から離れるように円錐台状に凹んだ凹所１１０を有している。これにより、金属板１０の中央部において、金属板１０と音響板１１との間に空間が形成される。
【００２２】
音響板１１は、金属板１０と一緒に、圧電体３０の伸縮（圧電体３０の、金属板１０の厚さ方向と直交する方向への伸縮）に応じて厚さ方向に振動する。すなわち、音響板１１と金属板１０とで板状の振動体１が構成されており、振動体１は、圧電体３０の伸縮に応じて振動体１の厚さ方向に振動する。発音装置１００は、音響板１１を備えていることで、圧電体３０の変形に対する振動体１の振動の振幅が大きくなり、より音圧の大きな音を発生させることができる。
【００２３】
図３に示すように、音響板１１は、外径Ｒ１を有している。音響板１１の外周部は、厚さＡ１を有している。本実施形態では、音響板１１の外径Ｒ１が振動体１の外径に相当する。また、音響板１１の外周部の厚さＡ１が、振動体１の外周部の厚さに相当する。
【００２４】
保持体４は、例えばエラストマなどの弾性材料から、内径Ｒ２と外径Ｒ３とを有し断面が略矩形の円環状に形成されている。保持体４の内径Ｒ２は、音響板１１の外径Ｒ１（振動体１の外径）よりも小さい。保持体４の外径Ｒ３は、音響板１１の外径Ｒ１（振動体１の外径）よりも大きい。
【００２５】
図３に示すように、保持体４は、音響板１１（振動体１）と対向する内側面４１に、音響板１１の外周部（振動体１の外周部）が差し込まれる保持溝４０を有している。保持溝４０は、保持体４の内側面４１から外側面４２側へ凹んでいる。保持溝４０は、底部４００と第１の側面４０１と第２の側面４０２とで囲まれる空間として規定される。第１の側面４０１と第２の側面４０２とは、底部４００から離れるにつれて互いに離れるように、底部４００に対して傾斜している。
【００２６】
図３に示すように、保持溝４０は、保持体４の内側面４１側に開口４０３を有している。保持溝４０は、保持体４の内側面４１に、開口４０３が内側を向くように形成されており、保持体４の周方向に沿って円環状に延びている。保持溝４０の幅は、開口４０３から底部４００へ向かって徐々に狭くなっている。したがって、保持体４の内側面４１における保持溝４０の幅（第１幅Ｘ１）よりも、底部４００における保持溝４０の幅（第２幅Ｘ２）の方が、小さい。
【００２７】
図３に示すように、保持溝４０の底部４００の径Ｒ４は、音響板１１の外径Ｒ１（振動体１の外径）よりも大きい。
【００２８】
保持体４の内側面４１における保持溝４０の幅（第１幅Ｘ１）は、音響板１１の外周部の厚さＡ１（振動体１の外周部の厚さ）よりも大きい。底部４００における保持溝４０の幅（第２幅Ｘ２）は、音響板１１の外周部の厚さＡ１（振動体１の外周部の厚さ）よりも小さい。
【００２９】
図１に示すように、保持体４は、音響板１１の厚さ方向と直交する方向から、音響板１１の外周の全周に弾性的に接触する。すなわち、保持体４は、振動体１の厚さ方向と直交する方向から、振動体１の外周の全周に弾性的に接触する。
【００３０】
具体的には、図３に示すように、音響板１１は、厚さ方向に第１面１１１と第２面１１２とを有する。保持体４の保持溝４０の第１の側面４０１が、音響板１１の第１面１１１の外周の全周に、線状に接触する。保持体４の保持溝４０の第２の側面４０２が、音響板１１の第２面１１２の外周の全周に、線状に接触する。これにより、保持溝４０の底部４００と音響板１１の側面との間には、空間４１０が形成される。
【００３１】
フレーム５は、発音装置１００が設けられる機器の、ハウジング６０の一部である。図１に示すように、フレーム５は、第１フレーム部材５１と第２フレーム部材５２とを含む。
【００３２】
第１フレーム部材５１は、一面（図１の下面）に開口を有する中空円筒状に形成された部材である。第１フレーム部材５１は、円板状の底板５１０と、底板５１０から軸方向に突出する円筒状の第１狭持部５１１と、を備えている。また、第１狭持部５１１の突出先端面（図１の下面）からは、第１狭持部５１１の内径よりも大きな内径を有する円筒状の支持部５１２が突出している。図３に示すように、第１狭持部５１１の内径は、保持体４の内径Ｒ２よりも大きい。第１狭持部５１１の外径は、保持体４の外径Ｒ３よりも大きい。支持部５１２の内径は保持体４の外径Ｒ３とほぼ等しい。支持部５１２の内側面が、保持体４の外側面４２に接触している。支持部５１２は、保持体４の、振動体１の厚さ方向と直交する方向への移動（図３の前後左右方向の移動）を規制する。また、第１フレーム部材５１の底板５１０には、第１狭持部５１１が形成された部分よりも内側の部分に、複数の音孔５１３が貫通して設けられている。振動体１で発生した音（空気の振動）は、音孔５１３から発音装置１００の外部に放射される。
【００３３】
第２フレーム部材５２は、一面（図１の上面）に開口を有する中空円筒状に形成された部材である。第２フレーム部材５２は、円板状の底板５２０と、底板５２０から軸方向に突出する円筒状の第２狭持部５２１と、を備えている。図３に示すように、第２狭持部５２１の内径は、保持体４の内径Ｒ２よりも大きい。第２狭持部５２１の外径は、保持体４の外径Ｒ３よりも僅かに小さい。
【００３４】
第１フレーム部材５１と第２フレーム部材５２とは、互いの開口を突き合わせた状態で、例えば嵌合やねじ止めなどの適宜の手段により互いに結合される。
【００３５】
第１フレーム部材５１と第２フレーム部材５２とが互いに結合された状態で、第１狭持部５１１と第２狭持部５２１との間（第１狭持部５１１の突出先端面と第２狭持部５２１の突出先端面との間）に保持体４が狭持される。すなわち、フレーム５は、振動体１の厚さ方向（図１の上下方向）の両側から、保持体４を狭持している。フレーム５は、特に、保持体４の全周に亘って、振動体１の厚さ方向の両側から保持体４に接触している。フレーム５は、第１狭持部５１１と第２狭持部５２１とで保持体４を保持することで、間接的に振動体１（金属板１０及び音響板１１）を保持している。
【００３６】
以上説明した本実施形態の発音装置１００では、弾性材料からなる保持体４が、振動体１の厚さ方向と直交する方向から振動体１に接触し、保持体４が、フレーム５によって保持されている。したがって、例えば振動体の外周部がフレームによって狭持されている場合に比べると、振動体１の外周部における振動（振動体１の厚さ方向の振動）が、阻害されにくくなる。このため、振動体の振幅を大きくすることができ、より音圧の大きな音を発生させることができる。
【００３７】
なお、振動体のフレームへの固定方法としては、他にも、接着剤やテープなどを用いることも考えられる。しかし、その場合には、振動体において接着剤やテープなどでフレームへ固定された部分の振動が、阻害される。これに対し、本実施形態の発音装置１００では、振動体１の外周部における振動体１の厚さ方向の振動が阻害されにくい。
【００３８】
また、接着剤などによる固定の際には振動体の位置ずれなどが起きやすく、個体によって音響性能にばらつきが発生しやすい。これに対し、本実施形態の発音装置１００では、振動体１の外周部が保持溝４０に差し込まれて保持体４に保持されるので、振動体１の外周部の厚さ方向における位置ずれを防止することができる。
【００３９】
本実施形態の発音装置１００では、保持体４が、振動体１の厚さ方向と直交する方向から振動体１の外周の全周に接触している。これにより、図１に示すように、ハウジング６０における振動体１の第１面側の空間（第１の空間５０１）と、ハウジング６０における振動体１の第２面側の空間（第２の空間５０２）と、が互いに分離される。したがって、第２の空間５０２側で発生した音が第１の空間５０１側に漏れる可能性が、低くなる。振動体１が第１の空間５０１側で発生させる音（空気の振動）と、振動体１が第２の空間５０２側で発生させる音（空気の振動）とは、逆位相なので、音漏れがあるとこれらの音が互いに打ち消し合ってしまう。本実施形態の発音装置１００では、音漏れを防止することができ、例えば第１の空間５０１側で発生した音が第２の空間５０２側で発生した音で打ち消されるのが防止されるので、より音圧の大きな音を発生させることができる。なお、本実施形態では、第１の空間５０１は、振動体１（音響板１１）と保持体４と第１フレーム部材５１（第１狭持部５１１及び底板５１０）とで囲まれる空間である。また、第２の空間５０２は、振動体１（金属板１０及び音響板１１）と保持体４と第２フレーム部材５２（第２狭持部５２１及び底板５２０）とで囲まれる空間である。
【００４０】
また、本実施形態の発音装置１００では、保持溝４０は、保持体４の内側面４１から保持溝４０の底部４００へ向かって徐々に幅が狭くなるよう形成されている。これにより、保持溝４０の第１の側面４０１が音響板１１の第１面１１１の外周の全周に線状に接触し、保持溝４０の第２の側面４０２が音響板１１の第２面１１２の外周の全周に線状に接触する。したがって、第１の空間５０１と第２の空間５０２とをより確実に分離することができる。
【００４１】
また、本実施形態の発音装置１００では、フレーム５は、保持体４の外側面４２に接触して保持体４の移動（保持体４の、振動体１の厚さ方向と直交する方向への移動）を規制する支持部５１２を有している。これにより、振動体１の位置ずれをさらに抑制することができる。
【００４２】
（実施形態２）
実施形態２に係る感知器２００について、図４〜図５を参照して説明する。
【００４３】
本実施形態の感知器２００は、火災などによる煙を検知し、煙を検知したときに音を発生する煙感知器である。感知器２００は、例えば、住宅内の居室や寝室、階段、廊下、或いは非住宅内のオフィス、階段、廊下などに取り付けられる。
【００４４】
感知器２００は、発音装置１００と、ハウジング６０と、検知部７０と、回路基板８０と、を備えている。
【００４５】
本実施形態の発音装置１００は、実施形態１の発音装置１００と同様の構成を有しているので、実施形態１の発音装置１００と共通の要素については共通の符号を付して詳しい説明を省略する。
【００４６】
本実施形態の感知器２００では、検知部７０は、煙を検知する煙検知部である。検知部７０は、発光部及び受光部と、光学基台７１と、を備えている。
【００４７】
発光部は、例えば発光ダイオード（ＬＥＤ）を備えている。受光部は、例えばフォトダイオードを備えている。発光部（発光ダイオード）及び受光部（フォトダイオード）は、受光部の受光面の位置が、発光部からの光の光軸上から外れるように、光学基台７１の内部に収納されている。
【００４８】
図５に示すように、光学基台７１は、それぞれ屈曲した壁からなる複数のラビリンス壁７１０を備えている。これら複数のラビリンス壁７１０により、光学基台７１の内部（ラビリンス壁７１０で囲まれた空間内）への外光の侵入が防止される。
【００４９】
上記構造の検知部７０では、光学基台７１の内部に煙が存在しない場合、発光部からの光は受光部の受光面にはほとんど到達しない。また、外光は、ラビリンス壁７１０のために、受光部の受光面にはほとんど到達しない。このため、受光部ではほとんど光が検出されない。
【００５０】
一方、光学基台７１の内部に煙が存在する場合、発光部からの光は煙によって散乱され、散乱された光の一部が受光部の受光面に到達する。これにより、受光部では、煙の存在に起因する光が検知される。すなわち、検知部７０は、発光部から放射され光学基台７１の内部の煙で散乱された光を受光部で受光することで、光学基台７１の内部での煙の存在を検知する。
【００５１】
光学基台７１、受光部及び発光部は、回路基板８０の一面（図４の上面）に取り付けられている。
【００５２】
回路基板８０には、判定部と制御部とを構成する回路（判定回路、制御回路）が、それぞれ設けられている。判定部は、受光部で受光された光量が閾値以上であるか否かを判定する。制御部は、受光部で受光された光量が閾値以上であると判定部によって判定された場合に、発音装置１００を動作させるための電気信号を発音装置１００へ出力する。例えば、制御部は、第１のリード線と第２のリード線との間に電圧を印加する。発音装置１００は、制御部からの電気信号に応じて振動体１を振動させて、音を発生させる。
【００５３】
回路基板８０には、発音装置１００の音停止用の押ボタンスイッチ８１が設けられている。また、押ボタンスイッチ８１の操作面側（図４の上側）には、押ボタンスイッチ８１の操作面と対向するように、操作片９０が設けられている。操作片９０は、第１操作受け部９０１と第２操作受け部９０２とを備える。第１操作受け部９０１は、人の手による押し操作を受けて押ボタンスイッチ８１の操作面を押す。第２操作受け部９０２は、引き紐９１に連結されており、人の手による引き紐９１の引き操作を受けて押ボタンスイッチ８１の操作面を押す。制御部は、押ボタンスイッチ８１の操作面が押されると、発音装置１００への電気信号の出力を停止して、発音装置１００からの音の発生を停止させる。
【００５４】
図４に示すように、ハウジング６０は、ベースプレート６１と、サブプレート６２と、防虫カバー６３と、保護カバー６４と、ベースカバー６５と、を備えている。ベースプレート６１、サブプレート６２、防虫カバー６３、保護カバー６４、及びベースカバー６５は、合成樹脂製であり、例えば難燃性ＡＢＳ樹脂製である。ハウジング６０内には、発音装置１００と、検知部７０と、回路基板８０（制御部を含む）と、が収納される。
【００５５】
ベースプレート６１は、円板状に形成されており、外部電源からの電線（図示せず）を通す貫通孔６１０が、中央に設けられている。ベースプレート６１の裏面側（図４の下面側）には、コネクタプレート６１１が取り付けられる。コネクタプレート６１１は、上記の電線が接続される第１コネクタ端子６１２と、回路基板８０の端子８００に接続される第２コネクタ端子６１３とを備えている。電線が第１コネクタ端子６１２に接続され、回路基板８０の端子８００が第２コネクタ端子６１３に接続されることで、回路基板８０が外部電源に接続される。また、ベースプレート６１の裏面側には、コネクタプレート６１１を覆うようにコネクタカバー６１４が取り付けられる。
【００５６】
ベースプレート６１は、例えば住宅の天井面などに、裏面側が天井面と対向するようにして取り付けられる。
【００５７】
サブプレート６２は、ベースプレート６１より径の小さな円板状に形成されている。サブプレート６２は、回路基板８０に設けられた回路パターンと外部電源からの電線とを電気的に絶縁するように（電線が回路パターンに接触しないように）、設けられている。また、サブプレート６２は、貫通孔６１０からハウジング６０内部に侵入した水が回路基板８０に到達するのを防止している。サブプレート６２には、回路基板８０の端子８００を通すための貫通孔６２０が形成されている。
【００５８】
防虫カバー６３は、底板６３１及び周壁６３２を有し、一面（図４の下面）が開口する中空円筒状に形成されている。防虫カバー６３は、底板６３１と周壁６３２とで光学基台７１のラビリンス壁７１０を覆うように、光学基台７１に取り付けられる。
【００５９】
防虫カバー６３の周壁６３２には、複数の小さな孔６３３が形成されており、光学基台７１の内部への虫や埃等の異物の侵入を防止する一方、光学基台７１の内部への煙や気体などの侵入を許容する。
【００６０】
また防虫カバー６３は、底板６３１から回路基板８０とは反対側に（図４の上向きに）突出する円筒状のリブ６３４を備えている。リブ６３４の内周面には段差６３５が形成されている。図５に示すように、リブ６３４は、段差６３５よりも底板６３１から離れた部分の内径の方が、段差６３５よりも底板６３１側の部分の内径よりも大きくなっている。
【００６１】
保護カバー６４は、底板６４１及び周壁６４２を有し、一面（図４の下面）が開口する中空円筒状に形成されている。保護カバー６４は、底板６４１と周壁６４２とで防虫カバー６３を覆うように、光学基台７１に取り付けられる。
【００６２】
底板６４１には、複数の円弧状の孔６４３が、円６４４上に形成されている。保護カバー６４は、底板６４１から防虫カバー６３に向かって（図５の下向きに）突出する円筒状のリブ６４５を備えている。
【００６３】
図５に示すように、防虫カバー６３の円筒状のリブ６３４の段差６３５と、保護カバー６４の円筒状のリブ６４５との間に、保持体４が狭持される。すなわち本実施形態では、防虫カバー６３と保護カバー６４とが、保持体４を保持するフレーム５を構成する。
【００６４】
ベースカバー６５は、一面（図４の下面）が開口し、底面（図４の上面）の中央に貫通孔６５０が設けられた中空円筒状に形成されている。ベースカバー６５の底面には、操作片９０の第１操作受け部９０１を露出するための露出孔６５１が形成されている。ベースカバー６５の側面には、引き紐９１を通すための切り欠き６５２が形成されている。
【００６５】
サブプレート６２と回路基板８０とは、ネジを、サブプレート６２の裏側（図４の下側）から、サブプレート６２と回路基板８０とに設けられた貫通孔に通し、ベースカバー６５にねじ止めすることで、ベースカバー６５に固定される。これにより、サブプレート６２とベースカバー６５とを含む組立体が形成される。このとき、図５に示すように、回路基板８０に取り付けられた防虫カバー６３及び保護カバー６４が、ベースカバー６５の貫通孔６５０から突出する。
【００６６】
サブプレート６２とベースカバー６５とを含む組立体は、嵌合によりベースプレート６１に取り付けられる。
【００６７】
図５に示すように、発音装置１００は、板状の振動体１と、振動体１を保持する保持部２と、制御部からの電気信号に応じて振動体１を厚さ方向に振動させる駆動部３と、を備える。保持部２は、保持体４と、フレーム５（防虫カバー６３と保護カバー６４）と、を有する。保持体４は、弾性材料からなり、振動体１の厚さ方向と直交する方向から振動体１の外周の全周に接触する。フレーム５は、保持体４を保持する。
【００６８】
本実施形態の感知器２００でも、実施形態１の発音装置１００と同様、弾性材料からなる保持体４が、振動体１の厚さ方向と直交する方向から振動体１の外周の全周に接触し、フレーム５が保持体４を保持している。これにより、振動体１から得られる音の音圧を大きくすることができる。
【００６９】
（変形例）
本発明の実施形態は、上記の各実施形態に限定されない。上記の各実施形態は、本発明の目的を達成できれば、設計等に応じて種々の変更が可能である。
【００７０】
一変形例において、振動体１が音響板１１を備えていなくてもよい。この場合、保持体４は、金属板１０の厚さ方向と直交する方向から金属板１０の外周の全周に接触する。この場合、金属板１０の外周部の厚さは、第１幅Ｘ１（保持体４の内側面４１における保持溝４０の幅）よりも小さいことが好ましい。また、金属板１０の外周部の厚さは、第２幅Ｘ２（底部４００における保持溝４０の幅）よりも大きいことが好ましい。
【００７１】
一変形例において、発音装置１００は、金属板１０の両面（第１面１０１及び第２面１０２）にそれぞれ圧電体３０が設けられたバイモルフ構造を有していてもよい。例えば、第２面１０２側の圧電体３０は、音響板１１の凹所１１０により形成された空間内に収容され、金属板１０の第２面１０２に固定されてもよい。
【００７２】
一変形例において、発音装置１００は、圧電体３０以外からなる駆動部３を備えていてもよい。例えば、駆動部３は、電気信号（電圧）を磁気信号に変換するコイルと、磁気信号に応じて変形して振動体１を厚さ方向に振動させる磁歪素子と、を備えてもよい。駆動部３は、外部からの電気信号に応じて振動体１を厚さ方向に振動させるものであればよい。
【００７３】
一変形例において、振動体１は、振動体１の厚さ方向から見た形状が円形でなくてもよく、例えば、四角形や楕円形であってもよい。
【００７４】
一変形例において、保持溝４０は、底部４００の幅（第２幅Ｘ２）がほぼ０の、Ｖ字状の溝やＣ字状の断面を有する溝であってもよい。
【００７５】
一変形例において、保持体４は保持溝４０を有していなくてもよい。この場合、保持体４の内側面４１が、音響板１１の側面に面状に接触していてもよい。
【００７６】
一変形例において、保持体４の断面形状は、矩形状以外の形状であってもよく、例えば円形状であってもよい。
【００７７】
一変形例において、感知器２００は、煙感知器でなくてもよい。例えば、感知器２００は、熱センサを備えた火災感知器や、人感センサなどを備えた防犯用の警報器などであってもよい。
【００７８】
一変形例において、発音装置１００は、感知器２００以外の他の電気機器に用いられてもよい。他の電気機器としては、例えば、音響機器や電子機器、家電製品、車載機器、通信機器などがある。
【００７９】
（態様）
上記実施形態及び変形例から明らかなように、本発明に係る第１の態様の発音装置（１００）は、板状の振動体（１）と、振動体（１）を保持する保持部（２）と、外部からの電気信号に応じて振動体（１）を厚さ方向に振動させる駆動部（３）と、を備える。保持部（２）は、保持体（４）と、フレーム（５）と、を有する。保持体（４）は、弾性材料からなり、振動体（１）の厚さ方向と直交する方向から振動体（１）の外周の全周に接触する。フレーム（５）は、保持体（４）を保持する。
【００８０】
この構成によれば、保持体（４）が振動体（１）の厚さ方向と直交する方向から振動体（１）の外周の全周に弾性的に接触し、フレーム（５）が保持体（４）を保持するので、振動体（１）の外周部における振動体（１）の厚さ方向の振動が、阻害されにくい。このため、振動体（１）の振幅を大きくすることができ、より音圧の大きな音を発生させることができる。また、保持体（４）が、振動体（１）の厚さ方向と直交する方向から振動体（１）の外周の全周に接触しているので、振動体（１）の第１面側で発生した音が、振動体（１）の第２面側に漏れにくい。同様に、振動体（１）の第２面側で発生した音が、振動体（１）の第１面側に漏れにくい。このため、より音圧の大きな音を発生させることができる。
【００８１】
本発明に係る第２の態様の発音装置（１００）は、第１の態様において、保持体（４）は、振動体（１）と対向する内側面（４１）に、振動体（１）の外周部が差し込まれる保持溝（４０）を有する。
【００８２】
この構成によれば、振動体（１）の外周部が保持溝（４０）に差し込まれて保持体（４）に保持されるので、振動体（１）の外周部の厚さ方向における位置ずれを防止することができる。
【００８３】
本発明に係る第３の態様の発音装置（１００）は、第２の態様において、保持溝（４０）は、第１幅（Ｘ１）よりも第２幅（Ｘ２）の方が小さくなるように、保持体（４）の内側面（４１）から底部（４００）へ向かって徐々に幅が狭くなるよう形成されている。振動体（１）の外周部の厚さ（Ａ１）は、第１幅（Ｘ１）よりも小さく、第２幅（Ｘ２）よりも大きい。第１幅（Ｘ１）は、保持体（４）の内側面（４１）における保持溝（４０）の幅である。第２幅（Ｘ２）は、保持溝（４０）の底部（４００）における幅である。
【００８４】
この構成によれば、振動体（１）の外周部が保持体（４）に線状に接触するので、振動体（１）の厚さ方向の振動をより阻害しにくい。
【００８５】
本発明に係る第４の態様の発音装置（１００）は、第１〜第３のいずれかの態様において、振動体（１）は、金属板（１０）を有する。駆動部（３）は、金属板（１０）の厚さ方向の少なくとも一面（１０１）に固定され、電気信号に応じて金属板（１０）の厚さ方向と直交する方向に伸縮する板状の圧電体（３０）を有する。
【００８６】
この構成によれば、簡単な構成で発音装置（１００）を実現することができる。
【００８７】
本発明に係る第５の態様の発音装置（１００）は、第４の態様において、振動体（１）は、音響板（１１）をさらに備える。音響板（１１）は、金属板（１０）の厚さ方向の一面（１０２）に固定されて、金属板（１０）の全周から金属板（１０）の厚さ方向と直交する方向に突出する。保持体（４）は、音響板（１１）の厚さ方向と直交する方向から音響板（１１）の外周の全周に接触する。
【００８８】
この構成によれば、振動体（１）が音響板（１１）を備えていることで、振動体（１）の振幅を大きくすることができ、より音圧の大きな音を発生させることができる。
【００８９】
本発明に係る第６の態様の発音装置（１００）は、第１〜第５のいずれかの態様において、振動体（１）は、振動体（１）の厚さ方向から見た形状が円形である。
【００９０】
この構成によれば、振動体（１）の振幅を大きくすることができ、より音圧の大きな音を発生させることができる。
【００９１】
本発明に係る第７の態様の感知器（２００）は、第１〜第６のいずれかの態様の発音装置（１００）と、検知部（７０）と、制御部と、ハウジング（６０）と、を備える。検知部（７０）は、特定事象を検知する。制御部は、検知部（７０）で特定事象が検知された場合に、駆動部（３）に電気信号を与えて振動体（１）を振動させる。ハウジング（６０）には、発音装置（１００）、検知部（７０）、制御部が収納される。フレーム（５）は、ハウジング（６０）の一部である。
【００９２】
この構成によれば、より音圧の大きな音の得られる感知器（２００）を実現することができる。
【符号の説明】
【００９３】
１  振動体
１０  金属板
１１  音響板
２  保持部
３  駆動部
３０  圧電体
４  保持体
４０  保持溝
４００  底部
４１  内側面
５  フレーム
６０  ハウジング
７０  検知部
１００  発音装置
２００  感知器
【図１】
2019164173.tif 000003
【図２】
2019164173.tif 000004
【図３】
2019164173.tif 000005
【図４】
2019164173.tif 000006
【図５】
2019164173.tif 000007